(57)【要約】【課題】浮き下を従来より長く確保するとともに釣り竿の長さに係らず釣り糸を多く円滑に巻き取って掛かった魚を手元まで容易に引き上げし得るフカセ釣り用浮きを提供する。【解決手段】浮き１に道糸５とハリス６の結び目７の外径より大きい径の内径を有する糸孔２を上下に貫通するように設け、浮き１の糸孔２のハリス６側端部に結び目７の外径より小さく且つ道糸５の外径より大きい間隙のスリット３を前記糸孔２と連通するように設け、投入時は結び目７をスリット３の縁に係止することで浮き下を長くでき、巻き取り時は結び目７をスリット３から外して糸孔２を通過させることで釣り針８を竿元に引き寄せるまで巻き取りできるようにした。【選択図】　　　　　図１
2004135549.tif 000002
【特許請求の範囲】
【請求項１】
釣り針に刺した餌を水中で水の流れに沿って揺動させながら釣りを行うフカセ釣り用の浮きであって、浮き本体に釣り糸の途中に形成される係止部の外径より大きい径の内径を有する糸孔を上下に貫通するように設け、浮き本体の糸孔のハリス側端部に釣り糸の係止部の外径より小さく且つ釣り糸の外径より大きい間隙のスリットを前記糸孔と連通するように設け、投入時は釣り糸の係止部をスリット縁に係止することで浮き下を長くでき、巻き取り時は釣り糸の係止部をスリットから外して糸孔を通過させることで釣り針を竿元に引き寄せるまで巻き取りできるようにしたことを特徴とするフカセ釣り用浮き。
【請求項２】
浮き本体のスリットと反対側に所定重量の重錘を設け、投入時に浮き本体を重錘の自重でスリットが上向くように反転させることで浮きに手を触れることなく釣り糸の係止部をスリット縁に掛止し易くした請求項１記載のフカセ釣り用浮き。
【請求項３】
複数本のスリットを糸孔を中心に所定間隔おいて放射状に設けた請求項１記載のフカセ釣り用浮き。
【発明の詳細な説明】
【０００１】
【発明の属する技術分野】
本発明は、釣り針に刺した餌を水中で水の流れに沿って揺動させながら釣りを行うフカセ釣り用の浮きに関し、詳しくは投入時に浮き下を長くでき、巻き取り時は浮き下の釣り糸まで巻き取りを可能にする技術に関する。
【０００２】
【従来の技術】
従来、釣り針に刺した餌を水中で水の流れに沿って揺動させながら釣りを行うフカセ釣りという手法がある。この手法は、釣り針に刺した餌が水中で本物の餌のように動くことで魚の警戒心を刺激することなく掛かりを良好にするもので、特に磯部でメジナ等の大型魚を釣る際に用いられている。
【０００３】
ところで、前記フカセ釣りにおいて、浮き下の長さは通常浮きを道糸とハリスの間にシモリ等を介して所定位置に保持することで決めており、浮き下が長いほど餌を水深の深いところで揺動させることができて魚が掛かり易くなる。しかし、浮き下を長くすると釣り糸の巻き取り時に浮きとシモリが釣り竿のガイドを通過できない為釣った魚を容易に引き上げられず、浮き下を３〜４ｍに制限される等少なくとも釣り竿の長さより長くできない問題があった。
【０００４】
【発明が解決しようとする課題】
本発明が解決しようとする課題は、従来のこれらの問題点を解消し、浮き下を従来より長く確保できるようにするとともに、釣り竿の長さに係らず釣り糸を多く円滑に巻き取って掛かった魚を容易に手元まで引き上げできるようにするフカセ釣り用浮きを提供することにある。
【０００５】
【課題を解決するための手段】
かかる課題を解決した本発明の構成は、
１）　釣り針に刺した餌を水中で水の流れに沿って揺動させながら釣りを行うフカセ釣り用の浮きであって、浮き本体に釣り糸の途中に形成される係止部の外径より大きい径の内径を有する糸孔を上下に貫通するように設け、浮き本体の糸孔のハリス側端部に釣り糸の係止部の外径より小さく且つ釣り糸の外径より大きい間隙のスリットを前記糸孔と連通するように設け、投入時は釣り糸の係止部をスリット縁に係止することで浮き下を長くでき、巻き取り時は釣り糸の係止部をスリットから外して糸孔を通過させることで釣り針を竿元に引き寄せるまで巻き取りできるようにしたことを特徴とするフカセ釣り用浮き
２）　浮き本体のスリットと反対側に所定重量の重錘を設け、投入時に浮き本体を重錘の自重でスリットが上向くように反転させることで浮きに手を触れることなく釣り糸の係止部をスリット縁に掛止し易くした前記１）記載のフカセ釣り用浮き
３）　複数本のスリットを糸孔を中心に所定間隔おいて放射状に設けた前記１）記載のフカセ釣り用浮き
にある。
【０００６】
【作用】
本発明によれば、浮き本体に釣り糸の途中に形成される係止部の外径より大きい径の内径を有する糸孔を上下に貫通するように設け、浮き本体の糸孔に釣り糸の係止部の外径より小さく且つ釣り糸の外径より大きい間隙を有するスリットを前記糸孔と連通するように設けたから、投入時は釣り糸の係止部をスリット縁に掛止して浮き下を長くでき、巻き取り時は釣り糸の係止部をスリットから外した後糸孔に通過させることで釣り竿の長さに係らず浮き下の釣り糸まで円滑に巻き取って掛かった魚を容易に引き上げることができる。
【０００７】
【発明の実施の形態】
本発明の浮き本体には、スリットと反対側に所定重量の重錘を設けると、投入時に浮き本体を重錘の自重でスリットが上向くように反転し、浮きに手を触れることなく釣り糸の係止部をスリット縁に掛止し易くできて好ましい。また、複数本のスリットを糸孔を中心に所定間隔おいて放射状に設けると、重錘を設けることなく釣り糸の係止部がいずれかのスリットに掛止し易くなり、操作性が向上して好ましい。本発明でいう係止部とは、道糸とハリスの結び目、又はそれらを接続するサルカン等の釣り具をいう。以下、本発明の実施例を図面に基づいて具体的に説明する。
【０００８】
【実施例】
図１〜７に示す実施例は、本発明の浮きを使用してフカセ釣りを行う例である。図１は実施例の浮きの斜視図、図２は実施例の浮きの平面図、図３は図１のＡ−Ａ断面図、図４は実施例のフカセ釣りにおける投入前の工程を示す説明図、図５は実施例の浮きにおける釣り糸の状態を示す説明図、図６は実施例のフカセ釣りの説明図、図７は実施例の釣り糸の巻き取り後の状態を示す説明図である。
【０００９】
図中、１は浮き、２は糸孔、２ａはテーパ部、３はスリット、３ａはテーパ部、４は重錘、５は道糸、６はハリス、７は結び目、８は釣り針、９は釣り竿、１０はリール、Ｅは餌、Ｆは魚、Ｉは磯、Ｗは海である。
【００１０】
本実施例の浮き１は、図１〜３に示すように直径３ｃｍの木製からなる球状で、内径２ｍｍの糸孔２を上下に貫通するように直線状に形成するとともに、同糸孔２の片端に釣り糸の切断を防止する所定角度のテーパ部２ａを形成している。浮き１の表面側には０．７ｍｍの間隙を有するスリット３を糸孔２から３５°傾斜させた角度に且つ糸孔２と連通するように形成するとともに、同スリット３の上端に釣り糸の切断を防止する所定角度のテーパ部３ａを形成している。浮き１のスリット３と反対側には重量３ｇの鉛製の重錘４を糸孔２と直角方向に埋設している。
【００１１】
一方、図４，６に示す釣り竿は５．３ｍの１．２号竿、道糸５は３号、ハリス６は長さ７ｍの２．５号、釣り針はグレ針７号を使用し、４０ｃｍ以上のメジナを狙う際に使用する仕掛けとしている。また、道糸５とハリス６の結び目７は可能な限り小さくなるようにし、少なくとも外径が浮き１の糸孔２の内径より小さく且つスリット３の間隙より大きいものにする。そして、結び方は一番切れ難い双方４面締めとし、最後に必ず切り捨ての部分を強く引いて強固に緊締する。なお、浮き１を流さない為にハリス６に浮き止めを取り付けてシモリを入れておいてもよい。
【００１２】
本実施例では、図４（ａ）に示すようにまずハリス６を竿先から引き出して結び目７を竿先に掛けた後、その状態でハリス６の下端部を持ち、図４（ｂ）に示すように竿先を下向きに傾斜させて浮き１を竿先に送り、結び目７を竿先より３０ｃｍ程出す。
【００１３】
次に、図４（ｃ）に示すようにハリス６の下端を持って竿先から直線状に張り、竿先を下向きに傾斜させて浮き１を道糸５に移動させる。このとき、図５（ａ）に示すように結び目７の外径は糸孔２の内径より小さく形成されているから、糸孔２内を結び目７が円滑に通過して浮き１が道糸５側に移動する。
【００１４】
次に、図４（ｄ）に示すようにハリス６を緩めると浮き１が自重で下方に下がり、図５（ｂ）に示すように浮き１が重錘４の自重でスリット３が上向いて道糸５がスリット３に挿入され、結び目７がスリット３のテーパ部３ａに掛止されて浮き１下が所定長さに保持される。
【００１５】
そして、図６に示すように仕掛けを所望のポイントに向けて投入すると、リール１０から道糸５が引き出されて浮き１とハリス６と釣り針８に刺した餌Ｅがポイントの海面に着水して沈降し、潮の流れにより浮き１下のハリス６及び餌Ｅが揺動してフカセ釣りが行われる。
【００１６】
魚Ｆが掛かると道糸５及びハリス６が直線状に張り、浮き１のスリット３から結び目７が外れて糸孔２を下方に通過し、その後リール１０で道糸５及びハリス６を十分に巻き取り、図７に示すように魚Ｆを手元まで容易に引き上げることができる。
【００１７】
本実施例はこのように構成したから、浮き１下を従来より長く確保できる一方、釣り竿９の長さに係らず道糸５とハリス６を十分に巻き取って掛かった魚Ｆを容易に引き上げることができた。また、空上げ時は結び目７を出して引き上げたり強風時に釣り針８まで来た浮き１をつかむ方法、あるいはハリス６に浮き止めを付けて浅棚から深棚に応じて浮き１下を調整する方法等に応用できてセットの手間を省略できる。さらに、本実施例の浮き１を使用することにより浮き止めの移動とガン玉の脱着のみでフカセから全遊動半遊動固定浮き釣りにワンタッチで変更でき、万能浮きとして有用である。
【００１８】
図８に示すのは、フカセ釣り用浮きの他の例である。図８は実施例の他の例の浮きの平面図である。実施例の他の例では、図８に示すようにスリット３を糸孔２を中心に４箇所放射状に所定間隔おいて形成し、重錘４を省略している。従って、実施例の浮き１と比較して軽量となり、釣り竿９の傾斜角度に係らず結び目７がいずれかのスリット３のテーパ部３ａに掛止し易くなる。その他、符号、構成、使用方法は実施例と同じである。
【００１９】
なお、浮き１として本実施例では直径３ｃｍの球状のものを示したが、これに限定されるものではなく、例えば楕円状のものや細長状のもの等様々な形状や大きさ、材質のものに応用でき、狙う魚やそれに用いる仕掛け、潮の状況、ポイントに応じて任意に選定されるものである。
【００２０】
【発明の効果】
以上説明したように、本発明によれば、浮き下を従来より長く確保できるとともに釣り竿の長さに係らず釣り糸を多く円滑に巻き取って掛かった魚を手元まで容易に引き上げし得るフカセ釣り用浮きを提供できる。
【図面の簡単な説明】
【図１】実施例の浮きの斜視図である。
【図２】実施例の浮きの平面図である。
【図３】図１のＡ−Ａ断面図である。
【図４】実施例のフカセ釣りにおける投入前の工程を示す説明図である。
【図５】実施例の浮きにおける釣り糸の状態を示す説明図である。
【図６】実施例のフカセ釣りの説明図である。
【図７】実施例の釣り糸の巻き取り後の状態を示す説明図である。
【図８】実施例の他の例の浮きの平面図である。
【符号の説明】
１　浮き
２　糸孔
２ａ　テーパ部
３　スリット
３ａ　テーパ部
４　重錘
５　道糸
６　ハリス
７　結び目
８　釣り針
９　釣り竿
１０　リール
Ｅ　餌
Ｆ　魚
Ｉ　磯
Ｗ　海
【図１】
2004135549.tif 000003
【図２】
2004135549.tif 000004
【図３】
2004135549.tif 000005
【図４】
2004135549.tif 000006
【図５】
2004135549.tif 000007
【図６】
2004135549.tif 000008
【図７】
2004135549.tif 000009
【図８】
2004135549.tif 000010